【手続補正書】
【提出日】平成28年3月7日(2016.3.7)
【手続補正１】
【補正対象書類名】明細書
【補正対象項目名】０００８
【補正方法】変更
【補正の内容】
【０００８】
そこで、本発明は、承認された印刷データの印刷出力を行うことができる画像形成装置において、印刷データが承認されているか未承認かに応じて、印刷または承認を容易に実行させることができる仕組みを提供することを目的とする。
【手続補正２】
【補正対象書類名】明細書
【補正対象項目名】０００９
【補正方法】変更
【補正の内容】
【０００９】
本発明の情報処理装置は、記憶装置に記憶されている印刷データが承認されているか未承認かを示す承認情報を記憶する記憶手段を備える画像形成装置であって、前記記憶装置に記憶された、前記承認情報により印刷が承認されている印刷データと未承認の印刷データとを表示する表示手段と、前記表示手段で表示された印刷データの選択を受け付ける選択受付手段と、前記選択受付手段により印刷が承認されている印刷データの選択を受け付けた場合に、当該印刷データの印刷出力する操作部を操作可能な画面を表示し、前記選択受付手段により印刷が未承認の印刷データの選択を受け付けた場合に、当該印刷データの承認依頼をする操作部を操作可能な画面を表示する画面表示手段と、を備えることを特徴とする。
【手続補正３】
【補正対象書類名】明細書
【補正対象項目名】００１０
【補正方法】変更
【補正の内容】
【００１０】
本発明の画像形成装置の制御方法は、記憶装置に記憶されている印刷データが承認されているか未承認かを示す承認情報を記憶する記憶手段を備える画像形成装置の制御方法であって、前記記憶装置に記憶された、前記承認情報により印刷が承認されている印刷データと未承認の印刷データとを表示する表示工程と、前記表示工程で表示された印刷データの選択を受け付ける選択受付工程と、前記選択受付工程により印刷が承認されている印刷データの選択を受け付けた場合に、当該印刷データの印刷出力する操作部を操作可能な画面を表示し、前記選択受付工程により印刷が未承認の印刷データの選択を受け付けた場合に、当該印刷データの承認依頼をする操作部を操作可能な画面を表示する画面表示工程と、を含むことを特徴とする。
【手続補正４】
【補正対象書類名】明細書
【補正対象項目名】００１１
【補正方法】変更
【補正の内容】
【００１１】
本発明のコンピュータプログラムは、記憶装置に記憶されている印刷データが承認されているか未承認かを示す承認情報を記憶する記憶手段を備える画像形成装置で実行が可能なプログラムであって、前記画像形成装置を、前記記憶装置に記憶された、前記承認情報により印刷が承認されている印刷データと未承認の印刷データとを表示する表示手段と、前記表示手段で表示された印刷データの選択を受け付ける選択受付手段と、前記選択受付手段により印刷が承認されている印刷データの選択を受け付けた場合に、当該印刷データの印刷出力する操作部を操作可能な画面を表示し、前記選択受付手段により印刷が未承認の印刷データの選択を受け付けた場合に、当該印刷データの承認依頼をする操作部を操作可能な画面を表示する画面表示手段として機能させることを特徴とする。
【手続補正５】
【補正対象書類名】明細書
【補正対象項目名】００１２
【補正方法】変更
【補正の内容】
【００１２】
本発明によれば、承認された印刷データの印刷出力を行うことができる画像形成装置において、印刷データが承認されているか未承認かに応じて、印刷または承認を容易に実行させることができる仕組みを提供することができる。
【手続補正６】
【補正対象書類名】特許請求の範囲
【補正対象項目名】全文
【補正方法】変更
【補正の内容】
【特許請求の範囲】
【請求項１】
記憶装置に記憶されている印刷データが承認されているか未承認かを示す承認情報を記憶する記憶手段を備える画像形成装置であって、
前記記憶装置に記憶された、前記承認情報により印刷が承認されている印刷データと未承認の印刷データとを表示する表示手段と、
前記表示手段で表示された印刷データの選択を受け付ける選択受付手段と、
前記選択受付手段により印刷が承認されている印刷データの選択を受け付けた場合に、当該印刷データの印刷出力する操作部を操作可能な画面を表示し、前記選択受付手段により印刷が未承認の印刷データの選択を受け付けた場合に、当該印刷データの承認依頼をする操作部を操作可能な画面を表示する画面表示手段と、
を備えることを特徴とする画像形成装置。
【請求項２】
前記画面表示手段は、前記選択受付手段により印刷が承認されている印刷データの選択を受け付けた場合に、当該印刷データの印刷出力するための印刷ボタンの押下を受付可能とした画面を表示し、前記選択受付手段により印刷が未承認の印刷データの選択を受け付けた場合に、当該印刷データの承認依頼をするための承認依頼ボタンの押下を受付可能とした画面を表示することを特徴とする請求項１に記載の画像形成装置。
【請求項３】
前記画面表示手段は、前記選択受付手段により印刷が未承認の印刷データの選択を受け付けた場合に、当該印刷データの承認依頼をするための承認先の入力部を備える画面を表示することを特徴とする請求項１又は２に記載の画像形成装置。
【請求項４】
ユーザを、前記画像形成装置を使用するユーザとしてログインさせるログイン処理を行うログイン手段と、
前記画面表示手段により表示された画面における、未承認の印刷データの承認依頼をする操作部の操作を受け付けた場合に、当該印刷データを印刷するための承認依頼を行う承認依頼手段と、
前記承認依頼手段による承認依頼に応じた印刷データの印刷の承認前記承認依頼をログインユーザがログアウトする前に受け付けた場合に、前記選択受付手段で選択を受け付けた印刷データの印刷出力を行う印刷出力手段と、
を備えることを特徴とする請求項１乃至３のいずれか１項に記載の画像形成装置。
【請求項５】
記憶装置に記憶されている印刷データが承認されているか未承認かを示す承認情報を記憶する記憶手段を備える画像形成装置の制御方法であって、
前記記憶装置に記憶された、前記承認情報により印刷が承認されている印刷データと未承認の印刷データとを表示する表示工程と、
前記表示工程で表示された印刷データの選択を受け付ける選択受付工程と、
前記選択受付工程により印刷が承認されている印刷データの選択を受け付けた場合に、当該印刷データの印刷出力する操作部を操作可能な画面を表示し、前記選択受付工程により印刷が未承認の印刷データの選択を受け付けた場合に、当該印刷データの承認依頼をする操作部を操作可能な画面を表示する画面表示工程と、
を含むことを特徴とする画像形成装置の制御方法。
【請求項６】
記憶装置に記憶されている印刷データが承認されているか未承認かを示す承認情報を記憶する記憶手段を備える画像形成装置で実行が可能なプログラムであって、
前記画像形成装置を、
前記記憶装置に記憶された、前記承認情報により印刷が承認されている印刷データと未承認の印刷データとを表示する表示手段と、
前記表示手段で表示された印刷データの選択を受け付ける選択受付手段と、
前記選択受付手段により印刷が承認されている印刷データの選択を受け付けた場合に、当該印刷データの印刷出力する操作部を操作可能な画面を表示し、前記選択受付手段により印刷が未承認の印刷データの選択を受け付けた場合に、当該印刷データの承認依頼をする操作部を操作可能な画面を表示する画面表示手段として機能させることを特徴とするコンピュータプログラム。